(57)【要約】【課題】乾燥時間の短縮を図ることができる浴室空調装置を提供する。【解決手段】浴室空調装置１は、浴室５１の天井パネル５６に設置される。浴室空調装置１は、吹出口グリル１６ｂの形状を長方形とし、吹出口グリル１６ｂが、ランドリパイプ５４に対して直交する向きとして設置される。これにより、ランドリパイプ５４に掛けられた洗濯物Ｓに対して、幅方向の全体にわたって温風が吹き出され、洗濯物Ｓの全体に温風が当たる。従って、乾燥ムラが抑えられ、乾燥時間が短縮される。【選択図】    図１
2011027407.tif 000002
【特許請求の範囲】
【請求項１】
浴室の天井に設置される浴室空調装置において、
前記浴室に面して配置され、空気が吹き出される吹出口と、
空気を吸い込んで、前記吹出口から吹き出す給気手段と、
前記吹出口が配置される本体部とを備え、
前記吹出口を、前記本体部の短手方向に沿って配置した
ことを特徴とする浴室空調装置。
【請求項２】
前記本体部は、前記浴室内に取り付けられる物干し部材の長手方向に対して、前記吹出口が直交する向きで配置されるようにした
ことを特徴とする請求項１記載の浴室空調装置。
【請求項３】
前記本体部は、前記浴室内の浴槽の長手方向に対して、前記吹出口が直交する向きで配置されるようにした
ことを特徴とする請求項１または２記載の浴室空調装置。
【請求項４】
前記吹出口は、前記本体部の短手方向に沿った辺の長さを、前記本体部の長手方向に沿った辺の長さより長くした形状を有する
ことを特徴とする請求項１，２または３記載の浴室空調装置。
【請求項５】
前記吹出口は、第１の方向に沿って空気の吹き出し方向を切り替える第１の風向切替手段と、前記第１の方向と異なる第２の方向に沿って空気の吹き出し方向を切り替える第２の風向切替手段の少なくとも一方を備えた
ことを特徴とする請求項１〜４に何れか記載の浴室空調装置。
【請求項６】
運転モードに応じて前記第１の風向切替手段と前記第２の風向切替手段の一方あるいは前記第１の風向切替手段と前記第２の風向切替手段の双方により空気の吹き出し方向を切り替える制御手段を備えた
ことを特徴とする請求項５記載の浴室空調装置。
【請求項７】
前記吹出口は、前記第１の風向切替手段と前記第２の風向切替手段の双方を備え、
前記制御手段は、浴室の暖房を行う暖房運転モードでは、前記第１の風向切替手段によって空気の吹き出し方向を洗い場側に向け、
被乾燥物の乾燥を行う乾燥運転モードでは、前記第１の風向切替手段によって空気の吹き出し方向を被乾燥物が設置される方向に向けると共に、前記第２の風向切替手段によって空気の吹き出し方向を第２の方向に沿って往復させる
ことを特徴とする請求項６記載の浴室空調装置。
【請求項８】
前記本体部は、長手方向の一方の側に前記給気手段が配置されると共に、長手方向の他方の側に前記吹出口が配置され、
前記給気手段は、回転軸の方向を鉛直方向とした多翼の羽根車と、風路を形成するファンケースを備え、前記羽根車の直径及び前記ファンケースの大きさを、前記本体部の短手方向の長さに合わせて設定した
ことを特徴とする請求項１〜７に何れか記載の浴室空調装置。
【請求項９】
前記吹出口は、空気を加熱する加熱手段を備え、
前記加熱手段は、棒状のヒータ部材に複数枚のフィンが取り付けられ、少なくとも１本の前記ヒータ部材が、前記吹出口の長手方向に沿って配置される
ことを特徴とする請求項１〜８に何れか記載の浴室空調装置。
【請求項１０】
請求項１〜９に何れか記載の浴室空調装置と、
少なくとも物干し部材か浴槽の何れかを備え、
前記浴室空調装置の吹出口が、前記物干し部材か前記浴槽の少なくとも何れかに直交する向きで配置される
ことを特徴とする浴室。
【発明の詳細な説明】
【技術分野】
【０００１】
本発明は、浴室に設置される浴室空調装置及び浴室に関する。
【背景技術】
【０００２】
従来より、浴室に温風を送出して、暖房や洗濯物等の乾燥を行う機能を備えた浴室用の空調装置が提供されている。浴室空調装置は、空気の吹出口を下面に備え、吹出口が浴室内に面するように、浴室の天井に設置される。
【０００３】
従来の浴室空調装置では、空気の吹出口の形状は、正方形、もしくは正方形に近い長方形か、浴室空調装置の長手方向に沿った横長の長方形である（例えば、特許文献１参照）。
【０００４】
そして、空気の吹出口の形状が、正方形もしくは正方形に近い長方形の浴室空調装置は、浴室に取り付けられるランドリパイプの上側に吹出口が位置するように、浴室の天井に設置される。
【０００５】
また、空気の吹出口の形状が、横長の長方形の浴室空調装置は、ランドリパイプの長手方向に沿った向きで吹出口が配置されるように、浴室の天井に設置される。
【先行技術文献】
【特許文献】
【０００６】
【特許文献１】特開２００４−１２５３７３号公報
【発明の概要】
【発明が解決しようとする課題】
【０００７】
しかし、従来の浴室空調装置では、ランドリパイプに掛けられた洗濯物等の乾燥物に対して温風の当たる範囲が狭く、乾燥ムラが発生しやすいという問題がある。このため、乾燥物を確実に乾燥させるためには、乾燥時間を長くしなければならないという問題がある。
【０００８】
また、空気の吹出口の形状が、横長の長方形の浴室空調装置では、ランドリパイプに直交する方向への空気の吹き出し範囲が狭いので、浴室にランドリパイプを２本設置する形態とすると、どちらか一方のランドリパイプに掛けられた被乾燥物には、十分な温風を当てることができない。よって、１度の運転で乾燥させる被乾燥物の数を増やすことができない。
【０００９】
本発明は、このような課題を解決するためになされたもので、乾燥時間の短縮を図ることができる浴室空調装置及びこの浴室空調装置を備えた浴室を提供することを目的とする。
【課題を解決するための手段】
【００１０】
上述した課題を解決するため、本発明の浴室空調装置は、浴室の天井に設置される浴室空調装置において、浴室に面して配置され、空気が吹き出される吹出口と、空気を吸い込んで、吹出口から吹き出す給気手段と、吹出口が配置される本体部とを備え、吹出口を、本体部の短手方向に沿って配置したことを特徴とする。
【００１１】
本発明の浴室空調装置では、給気手段で浴室等から空気が吸い込まれ、吸い込まれた空気は吹出口から浴室内へ吹き出される。浴室空調装置の吹出口は、本体部の短手方向に沿って配置されるので、浴室に取り付けられるランドリパイプ等の物干し部材に対して直交した向きとなり、物干し部材に掛けられた洗濯物等の被乾燥物に対して、幅方向の全体に風を当てる。
【００１２】
また、本発明の浴室は、上述した浴室空調装置と、少なくとも物干し部材か浴槽の何れかを備え、浴室空調装置の吹出口が、物干し部材か浴槽の少なくとも何れかに直交する向きで配置されることを特徴とする。
【００１３】
本発明の浴室では、上述した浴室空調装置を備えることで、被乾燥物に対して、幅方向の全体に風が当たり、被乾燥物を短時間で乾燥させる。
【発明の効果】
【００１４】
本発明の浴室空調装置によれば、吹出口の向きを浴槽の長手方向に通常配置されるランドリパイプ等の物干し部材に対して直交させたので、洗濯物等の被乾燥物に対して、幅方向の全体に風を当てることができる。これにより、被乾燥物がムラ無く乾燥し、乾燥時間を短縮することができる。
【００１５】
なお、本発明の浴室空調装置では、吹出口が本体部の短手方向に沿って配置されることで、本体部の長手方向の一方の側に給気手段が配置されると共に、長手方向の他方の側に吹出口が配置される形態となり、給気手段を構成するファン部を、本体部の短手方向の長さに合わせて大径化できる。
【００１６】
本発明の浴室によれば、上述した浴室空調装置を備えることで、被乾燥物を短時間で乾燥させることができる。また、物干し部材が配置されるべき方向に直交する方向への空気の吹き出し範囲が広くなるので、複数本の物干し部材を設置して、１度の運転で乾燥できる被乾燥物の数を増やすことができる。
【００１７】
そして、浴室空調装置の乾燥運転時間が短縮されるので、消費電力を抑えることができる。
【図面の簡単な説明】
【００１８】
【図１】本実施の形態の浴室空調装置の一例を示す構成図である。
【図２】本実施の形態の浴室空調装置の一例を示す構成図である。
【図３】電動ルーバ一例を示す斜視図である。
【図４】本実施の形態の浴室空調装置の設置例を示す浴室の構成図である。
【図５】本実施の形態の浴室空調装置の制御系の一例を示す機能ブロック図である。
【図６】電動ルーバの動作例を示す説明図である。
【図７】電動ルーバの動作例を示す説明図である。
【図８】他の実施の形態の電動ルーバの一例を示す構成図である。
【図９】本実施の形態の浴室空調装置の変形例を示す構成図である。
【発明を実施するための形態】
【００１９】
以下、図面を参照して本発明の浴室空調装置及び浴室の実施の形態について説明する。
【００２０】
＜浴室空調装置の構成例＞
図１及び図２は本実施の形態の浴室空調装置の一例を示す構成図で、図１（ａ）は下面側から見た平面図、図１（ｂ）は図１（ａ）のＡ−Ａ断面図である。また、図２はフロントパネルを取り付けた状態の平面図である。
【００２１】
本実施の形態の浴室空調装置１は、空気を吸い込んで吹き出す循環・換気ファン部２と、循環・換気ファン部２が取り付けられる本体部３を備える。循環・換気ファン部２は給気手段の一例で、多翼の羽根車４と、羽根車４を回転駆動するファンモータ５と、風路を形成するファンケース６を備える。
【００２２】
本体部３は、下面が開口した鉄等の金属製のケースの内部に循環・換気ファン部２が取り付けられる。本体部３は、下面の形状が長方形であり、循環・換気ファン部２は、羽根車４が本体部３の長手方向の一方の側に偏って配置される。
【００２３】
ファンモータ５は、羽根車４の回転軸が鉛直方向となるように、ファンケース６に取り付けられる。
【００２４】
ファンケース６は、羽根車４の軸方向に沿った下面が開口してファン吸込口７が形成される。また、ファンケース６は、羽根車４の回転による空気の吹出方向を、本体部３の長手方向に沿った方向とした吹出風路８が形成される。
【００２５】
ここで、羽根車４の直径及びファンケース６の大きさは、本体部３の短手方向の長さに合わせて設定される。
【００２６】
浴室空調装置１は、吹出風路８と連通したファン吹出口９を、循環・換気ファン部２の下面に備える。ファン吹出口９は、羽根車４が回転駆動されることによる空気の吹出方向に沿った本体部３の長手方向の他方の側に形成され、本体部３の長手方向に沿った辺の長さより、本体部３の短手方向に沿った辺の長さを長くした長方形の開口である。
【００２７】
また、浴室空調装置１は、吹出風路８と連通した排気口１０を、循環・換気ファン部２の側部に備える。排気口１０は、羽根車４が回転駆動されることによる空気の吹出方向に沿った本体部３の長手方向の他方の側面に形成され、本体部３は、排気口１０にダクトジョイント１１が取り付けられる。
【００２８】
浴室空調装置１は、ファン吹出口９と排気口１０との間で風路を切り替える風路切替ダンパ１２を備える。風路切替ダンパ１２は、ダンパモータ１３の駆動力がカム１３ａを介して伝達され、軸１２ａを支点に回転して、ファン吹出口９と排気口１０の開閉動作を行う。
【００２９】
循環・換気ファン部２は、風路切替ダンパ１２の位置を、図１に実線で示すように排気口１０を閉じる循環位置とすると、ファン吹出口９が開いて、ファン吸込口７からファン吹出口９へ連通した循環風路１４ａが形成される。
【００３０】
また、循環・換気ファン部２は、風路切替ダンパ１２の位置を、図１に一点鎖線で示すようにファン吹出口９を閉じる換気位置とすると、排気口１０が開いて、ファン吸込口７から排気口１０へ連通した換気風路１４ｂが形成される。
【００３１】
更に、循環・換気ファン部２は、風路切替ダンパ１２の位置を、図１に二点鎖線で示す循環位置と換気位置の間の循環換気位置とすると、ファン吹出口９と排気口１０の双方が開いて、循環風路１４ａと換気風路１４ｂの双方が形成される。
【００３２】
浴室空調装置１は、循環・換気ファン部２のファン吹出口９にヒータ１５を備える。ヒータ１５は加熱手段の一例で、例えばＰＴＣヒータで構成され、ヒータ１５に通電されると、ヒータ１５が加熱されることでファン吹出口９を通る空気が加熱され、ファン吹出口９から温風が吹き出す。
【００３３】
ここで、ヒータ１５は、棒状のヒータ部材１５ａに長手方向に沿って多数のフィン１５ｂが取り付けられた構成で、フィン１５ｂが並ぶ方向を、ファン吹出口９の長手方向に沿った向きとしてファン吹出口９に取り付けられる。
【００３４】
また、ファン吹出口９の短手方向の幅は、２本のヒータ１５が並べて取り付けられる長さを有し、本例では、２本のヒータ１５がファン吹出口９の短手方向に並べて取り付けられる。なお、ヒータ１５の本数は例えば電源電圧等に応じて設定され、１本のヒータ１５が取り付けられる構成でも良い。
【００３５】
浴室空調装置１は、本体部３の下面にフロントパネル１６を備える。フロントパネル１６は、循環・換気ファン部２のファン吸込口７の下面を開口して吸込口グリル１６ａが形成されると共に、ファン吹出口９の下面を開口して吹出口グリル１６ｂが形成される。
【００３６】
吹出口グリル１６ｂは、ファン吹出口９と同様に、本体部３の短手方向に沿った辺の長さを長くした長方形の開口である。
【００３７】
浴室空調装置１は、吹出口グリル１６ｂに電動ルーバ１７Ａを備える。
【００３８】
図３は電動ルーバ１７Ａの一例を示す斜視図である。電動ルーバ１７Ａは、吹出口グリル１６ｂ（ファン吹出口９）の短手方向に沿って延び、吹出口グリル１６ｂの長手方向に沿って並列した複数枚の第１の整流板１８ａと、第１の整流板１８ａの向きを変える第１のルーバモータ１９ａと、各第１の整流板１８ａに駆動力を伝達する第１のリンク機構２０ａを備える。電動ルーバ１７Ａは、第１の整流板１８ａ、第１のルーバモータ１９ａ及び第１のリンク機構２０ａにより、第１の風向切替手段を構成する。
【００３９】
また、電動ルーバ１７Ａは、第１の整流板１８ａと直交する向きに配置される複数枚の第２の整流板１８ｂと、第２の整流板１８ｂの向きを変える第２のルーバモータ１９ｂと、各第２の整流板１８ｂに駆動力を伝達する第２のリンク機構２０ｂを備える。電動ルーバ１７Ａは、第２の整流板１８ｂ、第２のルーバモータ１９ｂ及び第２のリンク機構２０ｂにより、第２の風向切替手段を構成する。
【００４０】
各第１の整流板１８ａは、図示しない枠体等に軸２１ａを支点に回転自在に支持され、１枚の第１の整流板１８ａの軸２１ａに第１のルーバモータ１９ａの軸が連結されている。第１のルーバモータ１９ａはステッピングモータで構成され、第１の整流板１８ａの往復回転動作が可能である。
【００４１】
各第１の整流板１８ａは、第１のリンク機構２０ａを構成するリンクロッド２２ａで連結される。
【００４２】
これにより、第１のルーバモータ１９ａが回転駆動されると、複数枚の第１の整流板１８ａの中で、第１のルーバモータ１９ａの軸と連結された第１の整流板１８ａが軸２１ａを支点に回転すると共に、各第１の整流板１８ａがリンクロッド２２ａで連結されているので、各第１の整流板１８ａが軸２１ａを支点に回転する。
【００４３】
第２の整流板１８ｂも、第１の整流板１８ａと同様の構成で駆動され、各第２の整流板１８ｂは、図示しない枠体等に軸２１ｂを支点に回転自在に支持され、１枚の第２の整流板１８ｂの軸２１ｂに第２のルーバモータ１９ｂの軸が連結されている。第２のルーバモータ１９ｂはステッピングモータで構成され、第２の整流板１８ｂの往復回転動作が可能である。
【００４４】
各第２の整流板１８ｂには、第２のリンク機構２０ｂを構成するリンクレバー２３ｂが取り付けられ、各リンクレバー２３ｂがリンクロッド２２ｂで連結される。
【００４５】
これにより、第２のルーバモータ１９ｂが回転駆動されると、複数枚の第２の整流板１８ｂの中で、第２のルーバモータ１９ｂの軸と連結された第２の整流板１８ｂが軸２１ｂを支点に回転すると共に、各第２の整流板１８ｂがリンクレバー２３ｂ及びリンクロッド２２ｂで連結されているので、各第２の整流板１８ｂが軸２１ｂを支点に回転する。
【００４６】
＜浴室空調装置の設置例＞
図４は浴室空調装置１の設置例を示す浴室の構成図である。まず、本実施の形態の浴室空調装置１が設置される浴室５１の構成について説明すると、浴室５１は、浴槽５２と洗い場５３を備える。浴槽５２は一般的に長方形であり、浴槽５２と洗い場５３は、浴槽５２の短手方向に沿って並んでいる。
【００４７】
浴室５１は、浴槽５２の上部に物干し部材であるランドリパイプ５４を備える。ランドリパイプ５４は、浴槽５２の長手方向に沿って延び、浴室５１の対向する壁面パネル５５に取り付けられる。なお、浴室５１に設置されるランドリパイプ５４の本数は、１本または２本程度であり、本例では、２本のランドリパイプ５４が平行に配置される。
【００４８】
また、物干し部材であるランドリパイプは、洗濯物等の被乾燥物が乾燥できるようになっていれば、パイプ状の部材に限らず、紐状であっても良く、他のものであっても良い。
【００４９】
浴室空調装置１は、浴室５１の天井パネル５６に設置される。浴室５１の天井パネル５６には、浴室空調装置１の本体部３が取り付けられる開口部が形成され、浴室空調装置１は、例えば、本体部３が図示しないアンカーボルト等で浴室５１の天井裏に吊り下げられる形態で、天井パネル５６に取り付けられる。そして、浴室空調装置１は、本体部３の下面にフロントパネル１６が取り付けられ、フロントパネル１６の吸込口グリル１６ａと吹出口グリル１６ｂが、浴室５１内に面する。
【００５０】
なお、浴室５１の天井パネル５６に設置された浴室空調装置１は、本体部３のダクトジョイント１１に排気ダクト５７が取り付けられる。排気ダクト５７は、浴室５１が設置される図示しない建物の外壁に取り付けられる屋外グリル５７ａと接続され、浴室空調装置１は、排気ダクト５７を介して屋外とつながっている。
【００５１】
次に、浴室空調装置１を設置する向きについて、図１〜図４を参照して説明する。浴室空調装置１は、上述したように、本体部３の下面の形状が長方形であり、本体部３の向きが、浴槽５２の長手方向に沿う向きとして、浴槽５２の上部に設置される。
【００５２】
これにより、浴室空調装置１は、吹出口グリル１６ｂの向きが、ランドリパイプ５４の長手方向及び浴槽５２の長手方向に対して直交する向きとなる。
【００５３】
＜浴室空調装置の制御機能例＞
図５は本実施の形態の浴室空調装置１の制御系の一例を示す機能ブロック図である。
【００５４】
浴室空調装置１は、ＣＰＵやメモリ等で構成される制御部６１に、操作部６２と、図１〜図３で説明したファンモータ５と、ダンパモータ１３と、ヒータ１５と、第１のルーバモータ１９ａ及び第２のルーバモータ１９ｂが接続される。
【００５５】
制御部６１は制御手段の一例で、図示しないメモリ等に格納されたプログラムに従って、例えば暖房運転モード、換気運転モード、乾燥運転モード及び涼風運転モードを実行する。これら運転モードは、入浴者等の利用者が操作部６２を操作すること等により選択され、制御部６１は、選択された運転モードを実行するプログラムに従いファンモータ５、ダンパモータ１３、ヒータ１５、第１のルーバモータ１９ａ及び第２のルーバモータ１９ｂ等を制御する。
【００５６】
操作部６２は、浴室空調装置１の本体部３と独立したリモートコントロール装置で、例えば浴室５１に隣接した洗面所５８の壁面等に取り付けられ、本体部３に実装される制御部６１とは例えば電気ケーブルで接続される。
【００５７】
＜電動ルーバの動作例＞
図６及び図７は電動ルーバ１７Ａの動作例を示す説明図で、次に、浴室空調装置１の吹出口グリル１６ｂに設置される電動ルーバ１７Ａの動作について説明する。
【００５８】
図６（ａ）に示すように、第１のルーバモータ１９ａが矢印ａ方向に回転駆動されると、第１のルーバモータ１９ａと連結された第１の整流板１８ａが軸２１ａを支点に矢印ａ方向に回転すると共に、各第１の整流板１８ａがリンクロッド２２ａで連結されているので、各第１の整流板１８ａが軸２１ａを支点に矢印ａ方向に回転する。
【００５９】
浴室空調装置１は、長方形の吹出口グリル１６ｂの向きが、上述したようにランドリパイプ５４に対して直交する向きで、第１の整流板１８ａは、吹出口グリル１６ｂの短手方向に沿って延び、かつ吹出口グリル１６ｂの長手方向に沿って並列している。
【００６０】
これにより、複数の第１の整流板１８ａが、それぞれ軸２１ａを支点に矢印ａ方向に回転すると、各第１の整流板１８ａは、図６（ｂ）に示すように一の方向、本例では図４に示す浴室５１の洗い場５３方向に向く。
【００６１】
これに対して、第１のルーバモータ１９ａが矢印ｂ方向に回転駆動されると、第１のルーバモータ１９ａと連結された第１の整流板１８ａが軸２１ａを支点に矢印ｂ方向に回転すると共に、各第１の整流板１８ａが軸２１ａを支点に矢印ｂ方向に回転する。これにより、各第１の整流板１８ａは、図６（ｃ）に示すように他の方向、本例では図４に示す浴室５１のランドリパイプ５４（浴槽５２）方向に向く。
【００６２】
ここで、本例では浴槽５２と洗い場５３との並び方向が第１の方向で、浴槽５２及びランドリパイプ５４の長手方向が第２の方向であり、第１の方向と第２の方向は異なる向きで、かつ、第１の方向と第２の方向は直交している。
【００６３】
図７（ａ）に示すように、第２のルーバモータ１９ｂが矢印ｃ方向に回転駆動されると、第２のルーバモータ１９ｂと連結された第２の整流板１８ｂが軸２１ｂを支点に矢印ｃ方向に回転すると共に、各第２の整流板１８ｂがリンクレバー２３ｂ及びリンクロッド２２ｂで連結されているので、各第２の整流板１８ｂが軸２１ｂを支点に矢印ｃ方向に回転する。これにより、各第２の整流板１８ｂは、図７（ｂ）に示すように一の方向に向く。
【００６４】
これに対して、第２のルーバモータ１９ｂが矢印ｄ方向に回転駆動されると、第２のルーバモータ１９ｂと連結された第２の整流板１８ｂが軸２１ｂを支点に矢印ｄ方向に回転すると共に、各第２の整流板１８ｂが軸２１ｂを支点に矢印ｄ方向に回転する。これにより、各第２の整流板１８ｂは、図７（ｃ）に示すように他の方向に向く。
【００６５】
第２の整流板１８ｂは、上述したように、第１の整流板１８ａに対して直交しているので、第２の整流板１８ｂは、吹出口グリル１６ｂの長手方向に沿って延び、かつ吹出口グリル１６ｂの短手方向に沿って並列している。
【００６６】
従って、第２のルーバモータ１９ｂを所定の範囲で往復回転動作させると、第２の整流板１８ｂは、図７（ｂ）に示す一の方向と図７（ｃ）に示す他の方向の間を往復し、本例では、図４に示す浴室５１のランドリパイプ５４に沿った第２の方向に沿って往復する。
【００６７】
＜浴室空調装置の動作例＞
次に、本実施の形態の浴室空調装置１の動作を各図を参照して説明する。浴室空調装置１の制御部６１は、操作部６２における操作で暖房運転モードが選択されると、ダンパモータ１３を駆動して、風路切替ダンパ１２を図１に実線で示す循環位置にする。
【００６８】
また、制御部６１は、第１のルーバモータ１９ａを駆動して、第１の整流板１８ａの向きを図６（ｂ）に示す一の方向とし、吹出口グリル１６ｂからの送風方向を洗い場５３方向にする。
【００６９】
そして、ファンモータ５を駆動して羽根車４を回転させると共に、ヒータ１５に通電する。
【００７０】
浴室空調装置１は、羽根車４が回転すると、フロントパネル１６の吸込口グリル１６ａから、浴室５１の空気がファン吸込口７へと吸い込まれる。
【００７１】
暖房運転モードでは、風路切替ダンパ１２が循環位置にあるので、ファンケース６では、ファン吸込口７からファン吹出口９へ連通した循環風路１４ａが形成されている。
【００７２】
これにより、羽根車４が回転することでファン吸込口７から吸い込まれた浴室５１の空気は、循環風路１４ａによってファン吹出口９へと流れる。ヒータ１５はファン吹出口９に備えられ、暖房運転モードではヒータ１５に通電されているので、ファン吹出口９へと流れてヒータ１５を通る空気はヒータ１５によって加熱され、吹出口グリル１６ｂから吹き出される。
【００７３】
そして、吹出口グリル１６ｂでは、電動ルーバ１７Ａによって、第１の整流板１８ａの向きが、洗い場５３方向を向いているので、図４に破線の矢印Ｈで示すように、吹出口グリル１６ｂから洗い場５３に向けて温風が吹き出される。
【００７４】
従って、暖房運転モードでは、浴室５１内の空気を循環させながら浴室５１内を暖房して、温度を上げることができる。また、暖房運転モードでは、温風の吹き出し方向が洗い場５３方向であるので、洗い場５３の床面を温めることができ、入浴者が浴室５１に入った際に、足元が冷たく感じることを防ぐことができる。
【００７５】
浴室空調装置１の制御部６１は、操作部６２における操作で換気運転モードが選択されると、ダンパモータ１３を駆動して、風路切替ダンパ１２を図１に一点鎖線で示す換気位置にする。そして、ファンモータ５を駆動して羽根車４を回転させる。なお、換気運転モードでは、ヒータ１５には通電しない。
【００７６】
浴室空調装置１は、羽根車４が回転すると、上述したように、フロントパネル１６の吸込口グリル１６ａから、浴室５１の空気がファン吸込口７へと吸い込まれる。
【００７７】
換気運転モードでは、風路切替ダンパ１２が換気位置にあるので、ファンケース６では、ファン吸込口７から排気口１０へ連通した換気風路１４ｂが形成されている。
【００７８】
これにより、羽根車４が回転することでファン吸込口７から吸い込まれた浴室５１の空気は、換気風路１４ｂによって排気口９へと流れ、排気口９に取り付けられたダクトジョイント１１を介して接続される排気ダクト５７を通って屋外グリル５７ａから屋外へ排気される。また、浴室５１内の空気が屋外に排出されることで、図４に示す浴室ドア５９等に設けた空気取入口５９ａから、隣接する室内である洗面所５８等の空気が吸い込まれる。
【００７９】
従って、換気運転モードでは、浴室５１内の湯気や湿気を排出して結露等を抑制し、カビの発生を抑えることができる。なお、換気運転モードでは、風路切替ダンパ１２を循環換気位置として、浴室５１内の空気を循環させながら、換気を行っても良い。
【００８０】
浴室空調装置１の制御部６１は、操作部６２における操作で乾燥運転モードが選択されると、ダンパモータ１３を駆動して、風路切替ダンパ１２を図１に二点鎖線で示す循環換気位置にする。
【００８１】
また、制御部６１は、第１のルーバモータ１９ａを駆動して、第１の整流板１８ａの向きを図６（ｃ）に示す他の方向とし、吹出口グリル１６ｂからの送風方向をランドリパイプ５４方向にする。
【００８２】
更に、制御部６１は、第２のルーバモータ１９ｂを駆動して、第２の整流板１８ｂの向きを、図７（ｂ）に示す一の方向と図７（ｃ）に示す他の方向の間で往復させ、吹出口グリル１６ｂからの送風方向を、ランドリパイプ５４に沿って往復させる。
【００８３】
そして、ファンモータ５を駆動して羽根車４を回転させると共に、ヒータ１５に通電する。
【００８４】
浴室空調装置１は、羽根車４が回転すると、上述したように、フロントパネル１６の吸込口グリル１６ａから、浴室５１の空気がファン吸込口７へと吸い込まれる。
【００８５】
乾燥運転モードでは、風路切替ダンパ１２が循環換気位置にあるので、ファンケース６では、ファン吸込口７からファン吹出口９へ連通した循環風路１４ａとファン吸込口７から排気口９へ連通した換気風路１４ｂの双方が形成されている。
【００８６】
これにより、羽根車４が回転することでファン吸込口７から吸い込まれた浴室５１の空気の一部は、循環風路１４ａによってファン吹出口９へと流れ、ヒータ１５によって加熱されて、吹出口グリル１６ｂから吹き出される。
【００８７】
そして、吹出口グリル１６ｂでは、電動ルーバ１７Ａによって、第１の整流板１８ａの向きが、ランドリパイプ５４方向を向いているので、図４（ｂ）に実線の矢印Ｉで示すように、吹出口グリル１６ｂからランドリパイプ５４に向けて温風が吹き出される。
【００８８】
また、吹出口グリル１６ｂの向きが、ランドリパイプ５４に対して直交しているので、ランドリパイプ５４に掛けられた洗濯物Ｓの幅Ｗ方向の全体に温風が吹き出される。
【００８９】
更に、吹出口グリル１６では、電動ルーバ１７Ａによって、第２の整流板１８ｂの向きが、ランドリパイプ５４に沿って往復しているので、図４（ａ）に実線の矢印Ｊで示すように、吹出口グリル１６ｂからランドリパイプ１４に沿って広範囲に温風が吹き出される。
【００９０】
また、乾燥運転モードでは、羽根車４が回転することでファン吸込口７から吸い込まれた浴室５１の空気の残部は、換気風路１４ｂによって排気口９へと流れ、排気ダクト５７を通って屋外グリル５７ａから屋外へ排気される。また、浴室５１内の空気が屋外に排出されることで、浴室ドア５９の空気取入口５９ａ等から、洗面所５８の空気が吸い込まれる。
【００９１】
従って、乾燥運転モードでは、浴室５１内に温風を吹き出して、ランドリパイプ５４に掛けられた洗濯物を乾燥させることができる。そして、電動ルーバ１７Ａによってランドリパイプ５４に沿って温風が吹き出されるので、ランドリパイプ５４のどの場所に掛けられた洗濯物に対しても温風を当てることができる。更に、吹出口グリル１６ｂの向きが、ランドリパイプ５４に対して直交しているので、ランドリパイプ５４に掛けられた洗濯物の幅方向の全体に温風を当てることができると共に、図４に示すように２本のランドリパイプ５４を設置した場合でも、各ランドリパイプ５４に掛けられた洗濯物Ｓ全体に温風を当てることができる。よって、多くの洗濯物Ｓに温風が当たることで、乾燥時間を短縮することができる。
【００９２】
また、浴室５１内の空気の一部は屋外に排気されて換気が行われるので、湿気等を排出して、洗濯物の乾燥を促進することができる。
【００９３】
浴室空調装置１の制御部６１は、操作部６２における操作で涼風運転モードが選択されると、ダンパモータ１３を駆動して、風路切替ダンパ１２を図１に二点鎖線で示す循環換気位置にする。
【００９４】
また、制御部６１は、第１のルーバモータ１９ａを駆動して、第１の整流板１８ａの向きを図６（ｂ）に示す一の方向とし、吹出口グリル１６ｂからの送風方向を洗い場５３方向にする。
【００９５】
そして、ファンモータ５を駆動して羽根車４を回転させる。なお、涼風運転モードでは、ヒータ１５には通電しない。
【００９６】
浴室空調装置１は、羽根車４が回転すると、上述したように、フロントパネル１６の吸込口グリル１６ａから、浴室５１の空気がファン吸込口７へと吸い込まれる。
【００９７】
涼風運転モードでは、風路切替ダンパ１２が循環換気位置にあるので、ファンケース６では、ファン吸込口７からファン吹出口９へ連通した循環風路１４ａとファン吸込口７から排気口９へ連通した換気風路１４ｂの双方が形成されている。
【００９８】
これにより、羽根車４が回転することでファン吸込口７から吸い込まれた浴室５１の空気の一部は、循環風路１４ａによってファン吹出口９へと流れる。涼風運転モードでは、ヒータ１５に通電されないので、吹出口グリル１６ｂから浴室５１内の温度に応じた風（涼風）が吹き出される。
【００９９】
そして、吹出口グリル１６ｂでは、電動ルーバ１７Ａによって、第１の整流板１８ａの向きが、洗い場５３方向を向いているので、吹出口グリル１６ｂから洗い場５３に向けて涼風が吹き出される。
【０１００】
また、涼風運転モードでは、羽根車４が回転することでファン吸込口７から吸い込まれた浴室５１の空気の残部は、換気風路１４ｂによって排気口９へと流れ、排気ダクト５７を通って屋外グリル５７ａから屋外へ排気される。また、浴室５１内の空気が屋外に排出されることで、浴室ドア５９の空気取入口５９ａ等から、浴室５１に隣接した洗面所５８の空気が吸い込まれる。
【０１０１】
従って、涼風運転モードでは、洗い場５３に向けて涼風を吹き出すことで、洗い場５３に居る入浴者に涼風を当てて、夏季等に扇風機として利用することができる。また、浴室５１内の空気の一部は屋外に排気されて換気が行われるので、湿気等を排出することができる。
【０１０２】
なお、涼風運転モードでは、風路切替ダンパ１２を循環位置として、換気を行わずに浴室５１内で循環させる空気で涼風の吹き出しを行っても良い。また、涼風運転モードでは、空気の吹き出し方向を浴槽５２側としても良い。
【０１０３】
さて、従来の浴室空調装置のように、吹出口グリルが横長の長方形であると、羽根車の直径及びファンケースの大きさは、本体部の短手方向の長さから、吹出口の設置スペースを差し引いて設定しなければならず、羽根車４の大径化が困難であった。
【０１０４】
これに対して、本実施の形態の浴室空調装置１では、吹出口グリル１６ｂ（ファン吹出口９）を縦長の長方形として、本体部３の長手方向の他方の側に配置している。これにより、羽根車４の直径及びファンケース６の大きさを、本体部３の短手方向の長さに合わせて設定することができ、羽根車４の大径化を図ることが可能である。
【０１０５】
従って、循環風量や換気風量を増加させることができるので、従来と同じ風量を得るためには、羽根車４の回転数を落とすことができ、静音化及び省電力化を図ることができる。
【０１０６】
また、従来と比較して、運転音を上げることなく、風量を増やすこともできるので、運転モードに応じて風量を例えば標準風量と強風量に切り替えて、短時間での暖房や換気、乾燥等を行うことも可能である。
【０１０７】
＜電動ルーバの他の構成例＞
図８は他の実施の形態の電動ルーバ１７Ｂの一例を示す構成図で、図８（ａ）斜視図、図８（ｂ）は正面図である。電動ルーバ１７Ｂは第１の風向切替手段の一例で、吹出口グリル１６ｂの短手方向に沿って延び、吹出口グリル１６ｂの長手方向に沿って並列した複数枚の第１の整流板１８ａと、第１の整流板１８ａの向きを変える第１のルーバモータ１９ａと、各第１の整流板１８ａに駆動力を伝達する第１のリンク機構２０ａを備える。
【０１０８】
また、電動ルーバ１７は、第１の整流板１８ａと直交する向きに配置される複数枚の第２の整流板１８ｃを備える。
【０１０９】
各第１の整流板１８ａは、図示しない枠体等に軸２１ａを支点に回転自在に支持され、１枚の第１の整流板１８ａの軸２１ａに第１のルーバモータ１９ａの軸が連結されている。第１のルーバモータ１９ａはステッピングモータで構成され、第１の整流板１８ａの往復回転動作が可能である。
【０１１０】
各第１の整流板１８ａは、第１のリンク機構２０ａを構成するリンクロッド２２ａで連結される。
【０１１１】
これにより、第１のルーバモータ１９ａが回転駆動されると、複数枚の第１の整流板１８ａの中で、第１のルーバモータ１９ａの軸と連結された第１の整流板１８ａが軸２１ａを支点に回転すると共に、各第１の整流板１８ａがリンクロッド２２ａで連結されているので、各第１の整流板１８ａが軸２１ａを支点に回転する。
【０１１２】
第２の整流板１８ｃは、図示しない枠体等に軸２１ｃを支点に回転自在に支持され、それぞれの第２の整流板１８ｃは、軸２１ｃを支点に手動で向きが調整可能である。なお、第２の整流板１８ｃは、向きを固定としてもよい。第２の整流板１８ｃの向きを固定とする場合は、空気の吹き出し方向が広がる方向となるように、図８（ｂ）に示すように、各第２の整流板１８ｃがハの字に広がる向きとすると良い。
【０１１３】
＜浴室空調装置の他の動作例＞
次に、図８で説明した電動ルーバ１７Ｂを備えた浴室空調装置１の暖房運転モードと乾燥運転モードの動作について、図４（ｂ）等を参照して説明する。ここで、換気運転モードと涼風運転モードは、先に説明した動作例と同じである。
【０１１４】
暖房運転モードでは、ダンパモータ１３を駆動して、風路切替ダンパ１２を図１に実線で示す循環位置とすると共に、第１のルーバモータ１９ａを駆動して、第１の整流板１８ａの向きを図６（ｂ）に示す一の方向とし、吹出口グリル１６ｂからの送風方向を洗い場５３方向にする。
【０１１５】
そして、ファンモータ５を駆動して羽根車４を回転させると共に、ヒータ１５に通電する。
【０１１６】
浴室空調装置１は、風路切替ダンパ１２を循環位置として、羽根車４が回転すると、フロントパネル１６の吸込口グリル１６ａから、浴室５１の空気がファン吸込口７へと吸い込まれ、ファン吸込口７から吸い込まれた浴室５１の空気は、循環風路１４ａによってファン吹出口９へと流れる。
【０１１７】
暖房運転モードではヒータ１５に通電されているので、ファン吹出口９へと流れてヒータ１５を通る空気はヒータ１５によって加熱され、吹出口グリル１６ｂから吹き出される。
【０１１８】
そして、吹出口グリル１６ｂでは、電動ルーバ１７Ｂによって、第１の整流板１８ａの向きが、洗い場５３方向を向いているので、図４（ｂ）に破線の矢印Ｈで示すように、吹出口グリル１６ｂから洗い場５３に向けて温風が吹き出される。
【０１１９】
従って、暖房運転モードでは、浴室５１内の空気を循環させながら浴室５１内を暖房して、温度を上げることができる。また、暖房運転モードでは、温風の吹き出し方向が洗い場５３方向であるので、洗い場５３の床面を温めることができ、入浴者が浴室５１に入った際に、足元が冷たく感じることを防ぐことができる。
【０１２０】
乾燥運転モードでは、ダンパモータ１３を駆動して、風路切替ダンパ１２を図１に二点鎖線で示す循環換気位置とすると共に、第１のルーバモータ１９ａを駆動して、第１の整流板１８ａの向きを図６（ｃ）に示す他の方向とし、吹出口グリル１６ｂからの送風方向をランドリパイプ５４方向にする。
【０１２１】
そして、ファンモータ５を駆動して羽根車４を回転させると共に、ヒータ１５に通電する。
【０１２２】
浴室空調装置１は、風路切替ダンパ１２を循環換気位置として、羽根車４が回転すると、フロントパネル１６の吸込口グリル１６ａから、浴室５１の空気がファン吸込口７へと吸い込まれ、ファン吸込口７から吸い込まれた浴室５１の空気の一部は、循環風路１４ａによってファン吹出口９へと流れ、ヒータ１５によって加熱されて、吹出口グリル１６ｂから吹き出される。
【０１２３】
そして、吹出口グリル１６ｂでは、電動ルーバ１７Ｂによって、第１の整流板１８ａの向きが、ランドリパイプ５４方向を向いているので、図４（ｂ）に実線の矢印Ｉで示すように、吹出口グリル１６ｂからランドリパイプ５４に向けて温風が吹き出される。
【０１２４】
また、吹出口グリル１６ｂの向きが、ランドリパイプ５４に対して直交しているので、ランドリパイプ５４に掛けられた洗濯物Ｓの幅Ｗ方向の全体に温風が吹き出される。
【０１２５】
また、乾燥運転モードでは、羽根車４が回転することでファン吸込口７から吸い込まれた浴室５１の空気の残部は、換気風路１４ｂによって排気口９へと流れ、排気ダクト５７を通って屋外グリル５７ａから屋外へ排気される。また、浴室５１内の空気が屋外に排出されることで、図示しない浴室ドア等に設けた空気取入口から、隣接する洗面所等の空気が吸い込まれる。
【０１２６】
従って、乾燥運転モードでは、浴室５１内に温風を吹き出して、ランドリパイプ５４に掛けられた洗濯物を乾燥させることができる。また、吹出口グリル１６ｂの向きが、ランドリパイプ５４に対して直交しているので、ランドリパイプ５４に掛けられた洗濯物の幅方向の全体に温風を当てることができると共に、図４に示すように２本のランドリパイプ５４を設置した場合でも、各ランドリパイプ５４に掛けられた洗濯物Ｓ全体に温風を当てることができる。なお、電動ルーバ１７Ｂにおいて、第２の整流板１８ｃは、空気の吹き出し方向が広がる方向となるように向きを調整すれば、ランドリパイプ５４に沿って温風が吹き出される。よって、多くの洗濯物Ｓに温風が当たることで、乾燥時間を短縮することができる。
【０１２７】
また、浴室５１内の空気の一部は屋外に排気されて換気が行われるので、湿気等を排出して、洗濯物の乾燥を促進することができる。
【０１２８】
＜本実施の形態の浴室空調装置の変形例＞
図９は本実施の形態の浴室空調装置の変形例を示す構成図である。上述した各実施の形態では、吹出口グリル１６ｂ（ファン吹出口９）に電動ルーバ１７Ａあるいは電動ルーバ１７Ｂを備えて、空気の吹き出し方向を切り替える構成とした。
【０１２９】
これに対して、図９に示す浴室空調装置１では、電動ルーバを用いずに、図４に示すように浴室５１に取り付けられるランドリパイプ５４の長手方向に沿って、複数方向に空気が吹き出すようにした固定ルーバ１７Ｃを備えている。なお、図９では、固定ルーバ１７Ｃ以外の構成は、図１で説明した浴室空調装置１と同じであるので、浴室空調装置１の全体の構成の説明は省略する。
【０１３０】
固定ルーバ１７Ｃは、吹出口グリル１６ｂの長手方向に沿って延び、吹出口グリル１６ｂの短手方向に沿って並列した複数枚の整流板１８ｄを備える。複数枚の整流板１８ｄの中で、中央付近に配置される整流板１８ｄは、空気の吹き出し方向が鉛直方向となるように、鉛直下向きで配置される。また、左右に配置される整流板１８ｄは、空気の吹き出し方向が広がるように、ハの字型に配置される。ここで、左右に配置される整流板１８ｄは、空気の吹き出し方向が広がる方向に湾曲した形状としても良い。
【０１３１】
なお、固定ルーバ１７Ｃは、吹出口グリル１６ｂの短手方向に沿って延び、吹出口グリル１６ｂの長手方向に沿って並列した図示しない複数枚の整流板を備える。吹出口グリル１６ｂの長手方向に沿った側の整流板は、空気の吹き出し方向が例えばランドリパイプ５４方向を向くように、一方向に固定されている。
【０１３２】
上述した構成の浴室空調装置１では、例えば乾燥運転モードを実行すると、吹出口グリル１６ｂから、浴室空調装置１の直下の方向と、ランドリパイプ５４の長手方向に沿った方向の複数方向に温風が吹き出す。
【０１３３】
吹出口グリル１６ｂの向きは、ランドリパイプ５４に対して直交しているので、ランドリパイプ５４に掛けられた洗濯物の幅方向の全体に温風を当てることができると共に、ランドリパイプ５４の長手方向に沿って掛けられた多くの洗濯物に温風が当たることで、乾燥時間を短縮することができる。
【産業上の利用可能性】
【０１３４】
本発明は、浴室に設置され、洗濯物等の乾燥を行う機能を有する浴室空調装置に適用される。
【符号の説明】
【０１３５】
１・・・浴室空調装置、２・・・循環・換気ファン部、３・・・本体部、４・・・羽根車、５・・・ファンモータ、６・・・ファンケース、７・・・ファン吸込口、８・・・吹出風路、９・・・ファン吹出口、１０・・・排気口、１１・・・ダクトジョイント、１２・・・風路切替ダンパ、１３・・・ダンパモータ、１４ａ・・・循環風路、１４ｂ・・・換気風路、１５・・・ヒータ、１６・・・フロントパネル、１６ａ・・・吸込口グリル、１６ｂ・・・吹出口グリル、１７・・・電動ルーバ、１８ａ・・・第１の整流板、１８ｂ・・・第２の整流板、１９ａ・・・第１のルーバモータ、１９ｂ・・・第２のルーバモータ、２０ａ・・・第１のリンク機構、２０ｂ・・・第２のリンク機構、５１・・・浴室、５２・・・浴槽、５３・・・洗い場、５４・・・ランドリパイプ、５６・・・天井パネル、６１・・・制御部、６２・・・操作部
【図１】
2011027407.tif 000003
【図２】
2011027407.tif 000004
【図３】
2011027407.tif 000005
【図４】
2011027407.tif 000006
【図５】
2011027407.tif 000007
【図６】
2011027407.tif 000008
【図７】
2011027407.tif 000009
【図８】
2011027407.tif 000010
【図９】
2011027407.tif 000011